(57)【要約】【課題】エアーフィルターを室内機本体から容易に取り外し、且つ取り付けることができ、風路の風路抵抗の増加を抑えることができるエアーフィルター清掃装置を得る。【解決手段】エアーフィルター清掃装置１００は、筐体２に設置された筐体側枠体１０と、これに着脱自在に取り付けられる引出側枠体２０と、これに設置された除塵部３０および集塵室４０とを有し、引出側枠体２０には、フィルター駆動軸３４と、これに連動して回転するエアーフィルター巻取軸２４とが設置され、フィルター駆動軸３４に固定されたエアーフィルター駆動ピニオン２３ｆがエアーフィルター５０に形成されたフィルター従動ラック５３ｆに噛み合う。フィルター駆動軸３４の回転よってエアーフィルター５０は送り出され、これに当接した除塵部３０の除塵ブラシ３４の揺動によって除塵され、さらに、エアーフィルター巻取軸２４に巻き取られる。【選択図】図１
2011149683.tif 000002
【特許請求の範囲】
【請求項１】
吸込口および吹出口が形成された室内機本体と、前記吸込口から前記吹出口に至る風路を形成する送風ファンと、前記風路内に配置された熱交換器と、前記風路内に移動自在に配置されたエアーフィルターと、を有する空気調和機の室内機に設置されるエアーフィルター清掃装置であって、
前記室内機本体に設置される筐体側枠体と、該筐体側枠体に着脱自在に取り付けられる引出側枠体と、前記筐体側枠体に設置された塵埃回収部と、を有し、
前記引出側枠体が、前記エアーフィルターを移動させる移動軸と、該移動軸に前記エアーフィルターを押し当てる押当部と、前記エアーフィルターを巻き取り又は巻き戻す巻取軸と、前記移動軸の回転を前記巻取軸に伝達する回転伝達手段と、を有し、
前記筐体側枠体が、前記引出側枠体を着脱自在に収納する筐体側収納部と、該筐体側収納部に設置された駆動モーターと、該駆動モーターの回転軸に設置された軸方向に進退自在な継手手段と、前記エアーフィルターを移動自在に案内するエアーフィルターガイドと、を有し、
前記塵埃回収部が、前記エアーフィルターに付着した塵埃を除去する除塵部と、該除塵部によって除去された塵埃を貯蔵する集塵室と、を有し、
前記引出側枠体が前記筐体側収納部に収納される際、前記継手手段が前記駆動モーターに向かって後退した後、前記移動軸に向かって進出することによって前記回転軸と前記移動軸とが連結され、
前記引出側枠体が前記筐体側収納部から引き出される際、前記継手手段が後退して前記回転軸と前記移動軸とが離脱し、
前記引出側枠体が前記筐体側収納部に収納された状態で、前記除塵部が前記エアーフィルターに当接する、ことを特徴とするエアーフィルター清掃装置。
【請求項２】
前記エアーフィルターが、一方の面にラックが形成されたエアーフィルター枠体と、該エアーフィルター枠体に設置されたエアーフィルター網部と、を有し、
前記移動軸が前記ラックに噛み合うピニオンを有し、
前記ラックに前記ピニオンが噛み合った状態で、前記引出側枠体が前記筐体側収納部から引き出されることを特徴とする請求項１記載のエアーフィルター清掃装置。
【請求項３】
前記移動軸の端部または前記巻取軸の端部の一方または両方に、指掛かり部が形成され、
前記引出側枠体が前記筐体側収納部から引き出された状態で、前記指掛かり部が露出することを特徴とする請求項１または２記載のエアーフィルター清掃装置。
【請求項４】
前記エアーフィルター枠体に、先端が前記巻取軸に接続されたエアーフィルター引出部が形成され、
前記巻取軸が前記エアーフィルターを巻き取る初期において、エアーフィルター引出部が弛んでいることを特徴とする請求項１乃至３の何れかに記載のエアーフィルター清掃装置。
【請求項５】
前記巻取軸は、前記エアーフィルター引出部を巻き取る径大部と、該径大部よりも外径の小さい径小部とを、有することを特徴とする請求項１乃至４の何れかに記載のエアーフィルター清掃装置。
【請求項６】
前記巻取軸にコイルスプリングが接続され、前記巻取軸が前記エアーフィルターを巻き戻す方向に回転された際に、前記コイルスプリングに復元力が貯えられ、前記巻取軸が前記エアーフィルターを巻き上げる方向に回転される際、前記巻取軸は前記復元力に付勢されることを特徴とする請求項１乃至５の何れかに記載のエアーフィルター清掃装置。
【請求項７】
吸込口および吹出口が形成された室内機本体と、
前記吸込口から前記吹出口に至る風路を形成する送風ファンと、
前記風路内に配置された熱交換器と、
前記風路内に移動自在に配置されたエアーフィルターと、
前記エアーフィルターを清掃する清掃装置と、
を有する空気調和機の室内機であって、
前記清掃装置が、前記室内機本体に設置された筐体側枠体と、該筐体側枠体に着脱自在に取り付けられる引出側枠体と、前記筐体側枠体に設置された塵埃回収部と、を有し、
前記引出側枠体が、前記エアーフィルターを移動させる移動軸と、該移動軸に前記エアーフィルターを押し当てる押当部と、前記エアーフィルターを巻き取り又は巻き戻す巻取軸と、前記移動軸の回転を前記巻取軸に伝達する回転伝達手段と、を有し、
前記筐体側枠体が、前記引出側枠体を着脱自在に収納する筐体側収納部と、該筐体側収納部に設置された駆動モーターと、該駆動モーターの回転軸に設置された軸方向に進退自在な継手手段と、前記エアーフィルターを移動自在に案内するエアーフィルターガイドと、を有し、
前記塵埃回収部が、前記エアーフィルターに付着した塵埃を除去する除塵部と、該除塵部によって除去された塵埃を貯蔵する集塵室と、を有し、
前記引出側枠体が前記筐体側収納部に収納される際、前記継手手段が前記駆動モーターに向かって後退した後、前記移動軸に向かって進出することによって前記回転軸と前記移動軸とが連結され、
前記引出側枠体が前記筐体側収納部から引き出される際、前記継手手段が後退して前記回転軸と前記移動軸とが離脱し、
前記引出側枠体が前記筐体側収納部に収納された状態で、前記除塵部が前記エアーフィルターに当接する、ことを特徴とする空気調和機の室内機。
【請求項８】
前記エアーフィルターが、一方の面にラックが形成されたエアーフィルター枠体と、該エアーフィルター枠体に設置されたエアーフィルター網部と、を有し、
前記移動軸が前記ラックに噛み合うピニオンを有し、
前記ラックに前記ピニオンが噛み合った状態で、前記引出側枠体が前記筐体側収納部から引き出されることを特徴とする請求項７記載の空気調和機の室内機。
【請求項９】
前記移動軸の回転方向と前記巻取軸の回転方向とが同じであって、
前記引出側枠体が前記筐体側収納部に収納される際、前記巻取軸が前記移動軸よりも前記熱交換器寄り、または前記熱交換器寄りの斜め上方に位置し、
前記移動軸によって前記エアーフィルターが略水平または斜め上方に向かって送り出されることを特徴とする請求項７または８記載の空気調和機の室内機。
【請求項１０】
前記引出側枠体が前記筐体側収納部に収納される際、前記除塵部が、前記移動軸よりも前記熱交換器寄り、または前記熱交換器寄りの斜め上方の位置において、前記エアーフィルターに当接し、
前記除塵部の下方に、前記集塵室が位置することを特徴とする請求項９記載の空気調和機の室内機。
【請求項１１】
前記移動軸の端部または前記巻取軸の端部の一方または両方に、指掛かり部が形成され、
前記引出側枠体が前記筐体側収納部から引き出された状態で、前記指掛かり部が露出することを特徴とする請求項７乃至１０の何れかに記載の空気調和機の室内機。
【請求項１２】
前記エアーフィルター枠体に、先端が前記巻取軸に接続されたエアーフィルター引出部が形成され、
前記巻取軸が前記エアーフィルターを巻き取る初期において、エアーフィルター引出部が弛んでいることを特徴とする請求項７乃至１１の何れかに記載の空気調和機の室内機。
【請求項１３】
前記巻取軸は、前記エアーフィルター引出部を巻き取る径大部と、該径大部よりも外径の小さい径小部とを、有することを特徴とする請求項７乃至１２の何れかに記載の空気調和機の室内機。
【請求項１４】
前記巻取軸にコイルスプリングが接続され、前記巻取軸が一方側に回転された際に、前記コイルスプリングに復元力が貯えられ、前記巻取軸が他方側に回転される際、巻取軸は前記復元力に付勢されることを特徴とする請求項７乃至１３の何れかに記載の空気調和機の室内機。
【請求項１５】
吸込口および吹出口が形成された室内機本体と、前記吸込口から前記吹出口に至る風路を形成する送風ファンと、前記風路内に配置された熱交換器と、前記風路に移動自在に配置されるエアーフィルターと、を有する空気調和機の室内機に設置されるエアーフィルター清掃装置であって、
前記室内機本体に設置され、前記エアーフィルターを案内しながら搬送するエアーフィルター搬送ガイドと、該エアーフィルター搬送ガイドに設置され、前記エアーフィルター搬送ガイドによって搬送された前記エアーフィルターを案内しながら収納するエアーフィルター収納ガイドと、前記エアーフィルター搬送ガイドに着脱自在に設置された塵埃回収部と、を有し、
前記エアーフィルター搬送ガイドは、前記エアーフィルターの側縁が侵入し、前記エアーフィルターを前記風路と前記エアーフィルター収納ガイドとの間で移動自在に案内する搬送ガイド溝と、前記エアーフィルターに当接して、前記エアーフィルターを搬送する移動軸と、該移動軸を回転する駆動モーターと、を具備し、
前記エアーフィルター収納ガイドは、前記移動軸の回転によって搬送された前記エアーフィルターの両側端がそれぞれ侵入し、前記エアーフィルターを略螺旋状に湾曲するように移動自在に案内する収納ガイド溝を具備し、
前記塵埃回収部が、前記エアーフィルターに付着した塵埃を除去する除塵部と、該除塵部によって除去された塵埃を貯蔵する集塵室と、を具備することを特徴とするエアーフィルター清掃装置。
【請求項１６】
吸込口および吹出口が形成された室内機本体と、前記吸込口から前記吹出口に至る風路を形成する送風ファンと、前記風路内に配置された熱交換器と、前記風路に移動自在に配置されるエアーフィルターと、を有する空気調和機の室内機に設置されるエアーフィルター清掃装置であって、
前記室内機本体に設置され、前記エアーフィルターを案内しながら搬送するエアーフィルター搬送ガイドと、該エアーフィルター搬送ガイドに設置され前記エアーフィルターを案内するエアーフィルター搬送カバーと、前記エアーフィルター搬送ガイドに設置され、前記エアーフィルター搬送ガイドによって搬送された前記エアーフィルターを案内しながら収納するエアーフィルター収納ガイドと、前記エアーフィルター搬送ガイドに着脱自在に設置された塵埃回収部と、を有し、
前記エアーフィルター搬送ガイドは、前記エアーフィルターの側縁部が摺動する搬送ガイド縦フランジと、前記エアーフィルターに当接して、前記エアーフィルターを搬送する移動軸と、該移動軸を回転する駆動モーターと、を具備し、
前記エアーフィルター搬送カバーは、前記エアーフィルターの側縁部が摺動する搬送カバー縦フランジを具備し、
前記搬送ガイド縦フランジと前記搬送カバー縦フランジとによって、前記エアーフィルターを移動自在に案内する搬送ガイド溝が形成され、
前記エアーフィルター収納ガイドは、前記移動軸の回転によって搬送された前記エアーフィルターの両側端がそれぞれ侵入し、前記エアーフィルターを略螺旋状に湾曲するように移動自在に案内する収納ガイド溝を具備し、
前記塵埃回収部が、前記エアーフィルターに付着した塵埃を除去する除塵部と、該除塵部によって除去された塵埃を貯蔵する集塵室と、を具備することを特徴とするエアーフィルター清掃装置。
【請求項１７】
前記エアーフィルターが、一方の面にラックが形成されたエアーフィルター枠体と、該エアーフィルター枠体に設置されたエアーフィルター網部と、を有し、
前記移動軸が前記ラックに噛み合うピニオンを有することを特徴とする請求項１５または１６記載のエアーフィルター清掃装置。
【請求項１８】
前記搬送ガイド溝と前記収納ガイド溝との間に隙間が形成され、該隙間を経由して前記エアーフィルターが前記室内機本体の外に引き出し可能であることを特徴とする請求項１５乃至１７の何れかに記載のエアーフィルター清掃装置。
【請求項１９】
吸込口および吹出口が形成された室内機本体と、
前記吸込口から前記吹出口に至る風路を形成する送風ファンと、
前記風路内に配置された熱交換器と、
前記風路内に移動自在に配置されたエアーフィルターと、
前記エアーフィルターを清掃する請求項１５乃至１８の何れかに記載のエアーフィルター清掃装置と、を有することを特徴とする空気調和機の室内機。
【発明の詳細な説明】
【技術分野】
【０００１】
本発明はエアーフィルター清掃装置および空気調和機の室内機、特に、空気調和機の室内機に設置されたエアーフィルターに捕捉された「塵や埃ないし糸くず等（本発明において「塵埃」と総称する）」を除去するエアーフィルター清掃装置、並びにかかるエアーフィルター清掃装置が装備されている空気調和機の室内機に関する。
【背景技術】
【０００２】
従来のエアーフィルター清掃装置として、帯状のエアーフィルターに塵埃除去部材を当てて空気吸込口に沿って略Ｌ字状の経路を移動させるものであって、エアーフィルターを室内機の前面下方に配置された巻取軸で巻き取ることで下方に移動させ、また、室内機の上面後方に配置された戻しバネの力により巻き戻すことによって上方に移動させる発明が開示されている（例えば、特許文献１参照）。
また、従来のエアーフィルター清掃装置として、帯状のエアーフィルターを空気吸込口に沿って断面略６字状（略曲玉状あるいは略水滴状）の経路を往復移動させるものであって、断面が略曲玉状を呈する内レールと、内レールを包囲する断面が略曲玉状を呈する外レールとを設け、両者の間に断面略６字状の移動経路を形成している（例えば、特許文献２、３参照）。
【先行技術文献】
【特許文献】
【０００３】
【特許文献１】特開２００４−２８６３４４号公報（第５頁、第３図）
【特許文献２】特開２００８−１２２０７４号公報（第４−５頁、第３図）
【特許文献３】特許第４１７５４０９号公報（第４−５頁、第２図）
【発明の概要】
【発明が解決しようとする課題】
【０００４】
しかしながら、特許文献１に開示された発明には以下の問題があった。
（あ）エアーフィルターの両端が、それぞれ巻取軸と支持軸とに接続され、常時、支持軸に接続された戻しバネの力によって引っ張られている。このため、エアーフィルターを室内機の本体から取り外すことができない。
（い）常に引っ張られているエアーフィルターを吸込口に沿って移動自在に導くフレームが、風流路内に配置され、かかるフレームは戻しバネによる引っ張り力に対応した剛性（断面積）が必要になるため、風流れの障害となって風路抵抗が増していた。
（う）巻取軸の近傍に除去部材が配置されるから、エアーフィルターが厚い場合、例えば、エアーフィルターを通気体（網部）が枠体（フレーム）に貼り付けられた構成にした場合、巻き取られたエアーフィルターが除去部材に当接し、実施が困難になる。
【０００５】
また、特許文献２に開示された発明には以下の問題があった。
（え）かかる発明は、エアーフィルター駆動手段が、エアーフィルターに形成された凹凸（略ラック状）に室内機本体に設置されたピニオンを噛み合わせて、ピニオンを正転または反転させるものであって、エアーフィルターを移動経路の途中から移動経路の外に引き出すことができるものである。すなわち、エアーフィルターを室内機の本体から取り外すことができるものである。しかしながら、一旦、取り外したエアーフィルターを、再度取り付けるには、前記エアーフィルターに形成された凹凸に前ピニオンを噛み合わせる必要があり、作業が困難で煩雑になっていた。
（お）内レールが包囲した範囲内に、駆動手段を配置し、さらに、内レールの外側に移動経路のスペースを空けて外レールを設けているから、外レールの厚さ（奥行き）が増大している。このため、かかる外レールを熱交換器の上方や前方に配置しようとすると、室内機の本体が大型になる。
【０００６】
（か）断面略６字状の移動経路は、上面寄り範囲と、下端の折返し部を挟んで対向する前面寄り範囲および後面寄り範囲とに分けられる。そして、通常運転時には、エアーフィルターは上面寄り範囲および前面寄り範囲を覆い、エアーフィルター清掃時には、エアーフィルターの先端は下端の折返し部を経由して後面寄り範囲に引き込まれ、やがて、上面寄り範囲に侵入する。このとき、エアーフィルターの先端がエアーフィルターの後端部に衝突しないようにするため、仮に、上面寄り範囲の長さをＬＵ、前面寄り範囲の長さをＬＦ、後面寄り範囲の長さをＬＲ、と定義すると、「（ＬＵ＋ＬＦ）＜（ＬＦ＋ＬＲ）」、すなわち、「ＬＵ＜ＬＲ」の関係が必要となる。
そうすると、広い吸込口を上面に配置した場合（ＬＵを大きくした場合）、後面寄り範囲（ＬＲ）が大きくなるから、これに伴って、移動経路の折り返し点が前面の下方に移動する。そうすると、前面の下面寄りの範囲に、ダストボックスを配置したり、室内の環境等を入力するためのセンサーを配置したり、運転情報等を報知するための表示手段等を設置することが困難になる。
【０００７】
（き）また、特許文献３に開示された発明は、エアーフィルターに形成されたラックに移動手段であるピニオンが常時噛み合っているため、エアーフィルターを室内機本体から取り外すことができないという問題がある。また、エアーフィルターは、上面寄りおよび前面寄りの通常ガイド部と、通常ガイド部の前面寄りの範囲に対向した折返しガイド部を有する断面略６字状の移動経路を有し、かかる移動経路をエアーフィルターの先端がエアーフィルターの後端部に衝突しないように移動するため、特許文献２に開示された発明と同様の問題がある。
【０００８】
本発明は、上記のような問題を解決するためになされたもので、第１の目的は、エアーフィルターを室内機本体から容易に取り外すことができ、且つ、容易に取り付けることができるエアーフィルター清掃装置を得るものである。
また、第２の目的は、風路の風路抵抗の増加を抑えて、設置位置を選択する自由度を高くすることができるエアーフィルター清掃装置を得るものである。
さらに、第３の目的は、かかるエアーフィルター清掃装置が設置された空気調和機の室内機を得るものである。
【課題を解決するための手段】
【０００９】
本発明に係るエアーフィルター清掃装置は、吸込口および吹出口が形成された室内機本体と、前記吸込口から前記吹出口に至る風路を形成する送風ファンと、前記風路内に配置された熱交換器と、前記風路内に移動自在に配置されたエアーフィルターと、を有する空気調和機の室内機に設置されるものであって、
前記室内機本体に設置される筐体側枠体と、該筐体側枠体に着脱自在に取り付けられる引出側枠体と、前記筐体側枠体に設置された塵埃回収部と、を有し、
前記引出側枠体が、前記エアーフィルターを移動させる移動軸と、該移動軸に前記エアーフィルターを押し当てる押当部と、前記エアーフィルターを巻き取り又は巻き戻す巻取軸と、前記移動軸の回転を前記巻取軸に伝達する回転伝達手段と、を有し、
前記筐体側枠体が、前記引出側枠体を着脱自在に収納する筐体側収納部と、該筐体側収納部に設置された駆動モーターと、該駆動モーターの回転軸に設置された軸方向に進退自在な継手手段と、前記エアーフィルターを移動自在に案内するエアーフィルターガイドと、を有し、
前記塵埃回収部が、前記エアーフィルターに付着した塵埃を除去する除塵部と、該除塵部によって除去された塵埃を貯蔵する集塵室と、を有し、
前記引出側枠体が前記筐体側収納部に収納される際、前記継手手段が前記駆動モーターに向かって後退した後、前記移動軸に向かって進出することによって前記回転軸と前記移動軸とが連結され、
前記引出側枠体が前記筐体側収納部から引き出される際、前記継手手段が後退して前記回転軸と前記移動軸とが離脱し、
前記引出側枠体が前記筐体側収納部に収納された状態で、前記除塵部が前記エアーフィルターに当接する、ことを特徴とする。
【発明の効果】
【００１０】
本発明に係るエアーフィルター清掃装置は、引出側枠体が、押当部によって移動軸に押し当てられたエアーフィルターと一体的に、室内機本体に設置される筐体側枠体から引き出し自在である。また、引き出しや収納の際、駆動モーターと移動軸とが容易に離脱や連結する。
したがって、エアーフィルターを室内機本体から容易に引き出す（取り外す）ことができ、且つ、容易に収納する（取り付ける）ことができるから、除塵部では除去されない油やタバコ等の汚れが付着していても、これを室内機本体の外において取り除くことができる。
また、室内機本体への筐体側枠体の取り付け位置および筐体側枠体に形成される筐体側収納部の位置は、何れも限定されないから、風路の風路抵抗の増加を抑えながら除塵部を設置する際、設置位置を選択する自由度を高くすることができる。そして、空気流路面積を大きく確保することができるから、空気の流入抵抗を減じ、空気流入量を増加させて空気調和機の性能を向上することができる。
【図面の簡単な説明】
【００１１】
【図１】本発明の実施の形態１に係る空気調和機の室内機を説明する側面視の断面を示す断面図（エアーフィルターを巻き戻した状態）。
【図２】本発明の実施の形態１に係る空気調和機の室内機を説明する側面視の断面を示す断面図（エアーフィルターを巻き上げた状態）。
【図３】図１に示す室内機に設置されたエアーフィルター清掃装置を化粧パネルを透視して模式的に示す正面図。
【図４】図１に示す室内機に設置されたエアーフィルター清掃装置を形成する引出側枠体を示す斜視図。
【図５】図４に示す引出側枠体を一部（引出側カバー）を透視して示す拡大斜視図。
【図６】図４に示す引出側枠体を一部（引出側縦板）を透視して示す拡大斜視図。
【図７】図１に示す室内機に設置されたエアーフィルター清掃装置の一部を示す斜視図。
【図８】図１に示す室内機に設置されたエアーフィルター清掃装置を形成する塵埃回収部を示す斜視図。
【図９】図８に示す塵埃回収部を形成する集塵室を示す斜視図。
【図１０】本発明の実施の形態４に係る空気調和機の室内機を説明する側面視の断面を示す断面図（エアーフィルターを巻き戻した状態）。
【図１１】本発明の実施の形態４に係る空気調和機の室内機を説明する側面視の断面を示す断面図（エアーフィルターを巻き上げた状態）。
【図１２】図１０に示す室内機に設置されたエアーフィルター清掃装置を一部の部材を省略して示す斜視図。
【図１３】図１に示す室内機に設置されたエアーフィルター清掃装置を形成する部材（エアーフィルター収納ガイド）を分解して示す斜視図。
【図１４】図１に示す室内機に設置されたエアーフィルター清掃装置を形成する部材（エアーフィルター搬送ガイド）を示す斜視図。
【図１５】図１に示す室内機に設置されたエアーフィルター清掃装置を形成する部材（エアーフィルター搬送カバー）を示す斜視図。
【図１６】図１に示す室内機に設置されたエアーフィルター清掃装置を形成する部材（エアーフィルター収納ガイドとエアーフィルター搬送ガイド）を組み立てた状況を示す斜視図。
【図１７】図１に示す室内機に設置されたエアーフィルター清掃装置を形成する部材（エアーフィルター収納ガイドとエアーフィルター搬送ガイドとエアーフィルター搬送カバー）を組み立てた状況を示す斜視図。
【発明を実施するための形態】
【００１２】
［実施の形態１］
（空気調和機の室内機）
図１〜図９は本発明の実施の形態１に係る空気調和機の室内機を説明するものであって、図１は調和機の側面視の断面を示す断面図（エアーフィルターを巻き戻した状態）、図２は調和機の側面視の断面を示す断面図（エアーフィルターを巻き上げた状態）、図３は設置されたエアーフィルター清掃装置の構成を化粧パネルを透視して模式的に示す正面図、図４は設置されたエアーフィルター清掃装置を形成する引出側枠体を示す斜視図、図５は図４に示す引出側枠体の機構部を一部（引出側カバー）を透視して示す拡大斜視図、図６は図４に示す引出側枠体の機構部を一部（引出側縦板）を透視して示す拡大斜視図、図７は設置されたエアーフィルター清掃装置の一部を示す斜視図、図８は設置されたエアーフィルター清掃装置を形成する塵埃回収部を示す斜視図、図９は図８に示す塵埃回収部を形成する集塵室を示す斜視図である。なお、各図は模式的に描いたものであって、本発明は図示された形態に限定するものではない。
【００１３】
（筐体）
図１〜図３において、空気調和機の室内機１は、筐体（室内機本体に相当する）２と、筐体２内に設置され、空気を吸引すると共に吸引した空気を吹き出す送風ファン３と、送風ファン３が形成する風路内に配置され、吸引した空気を調和する熱交換器４と、吸引した空気に含まれる塵埃を捕捉する左エアーフィルター５０Ｌおよび右エアーフィルター５０Ｒと、左エアーフィルター５０Ｌおよび右エアーフィルター５０Ｒをそれぞれ清掃する左エアーフィルター清掃装置１００Ｌおよび右エアーフィルター清掃装置１００Ｒと、を有している。
筐体２は、天面（図中、上側）の一部が開口し、該開口部が空気を吸い込む吸込口７を形成し、底面（図中、下側）の一部が開口し、吸込口７から吸い込んだ空気を吹き出す吹出口８を形成している。また、筐体２の前面（図中、左側）には開口した前面パネル６が設置され、その開口部を塞ぐように化粧パネル６ｋが開閉自在に設置されている。なお、背面（図中、右側）は塞がれている。
【００１４】
送風ファン３は、筐体２の側面視で略中央部に配置され、吸込口７から吹出口８に至る風路５を形成するものである。
熱交換器４は、前面側下部の熱交換器４ｆと、前面側上部の熱交換器４ｔと、背面側の熱交換器４ｒとから構成され、これらは風路５内において送風ファン３を取り囲むように配置され、吸い込まれた空気を調和（冷却、加熱、除湿等）する。また、前面側下部の熱交換器４ｆの下部にドレン水の回収と風路の形状を兼ねたノズル９が配置される。
なお、図中、熱交換器４は送風ファン３の天面側および前面側を取り囲むように配置されているが、本発明は該配置形態に限定するものではない。
【００１５】
（エアーフィルター清掃装置）
図４〜図６において、左エアーフィルター清掃装置１００Ｌは、筐体２に設置される左筐体側枠体１０Ｌと、左筐体側枠体１０Ｌに着脱自在に取り付けられる左引出側枠体（エアーフィルターの移動機構を有する）２０Ｌと、左筐体側枠体１０Ｌに設置された左除塵部（塵埃回収部の一部に相当する）３０Ｌと、左除塵部３０Ｌに着脱自在に一体化された左集塵室（塵埃回収部の一部に相当する）４０Ｌと、を有している。
そして、図１に示すように左エアーフィルター５０Ｌは、筐体２の吸込口７と熱交換器４との間において、吸込口７側に沿って吸込口７の全面を覆うように配置される（後記するように巻き戻される）から、左エアーフィルター清掃装置１００Ｌは筐体２の前面側上部において、熱交換器４と前面パネル６との間に設置されることになる。
なお、実施の形態１に説明する室内機１は、左エアーフィルター清掃装置１００Ｌおよび右エアーフィルター清掃装置１００Ｒを有しているが、本発明はこれに限定するものではなく、その一方のみを有するもの（エアーフィルターが１枚）や、その何れかを複数台有するもの（エアーフィルターが３枚以上）であってもよい。
【００１６】
（筐体側枠体）
図７は、左筐体側枠体１０Ｌに左引出側枠体２０Ｌが収納された状態、一方、右筐体側枠体１０Ｒから右引出側枠体２０Ｒが引き出された状態を、それぞれ示している。図７において、左筐体側枠体１０Ｌは、並行配置された筐体側縦板１１ａ、１１ｂと、これらを連結する複数の左筐体側横桟１２Ｌとを有する枠体であって、筐体２に固定され、左引出側枠体２０Ｌを引き出し自在（着脱自在）に収納する。
同様に、右筐体側枠体１０Ｒは、並行配置された筐体側縦板１１ｃ、１１ｄ（図示しない）と、これらを連結する複数の右筐体側横桟１２Ｒとを有する枠体であって、筐体２に固定され、右引出側枠体２０Ｒを引き出し自在（着脱自在）に収納する。
そして、筐体側縦板１１ｂと筐体側縦板１１ｃとの間には駆動モーター１６が設置され、後記するように、左引出側枠体２０Ｌに設置された左エアーフィルター５０Ｌの移動機構および右引出側枠体２０Ｒに設置された右エアーフィルター５０Ｒの移動機構の両方が、駆動モーター１６によって駆動されるものである。
【００１７】
すなわち、左エアーフィルター清掃装置１００Ｌと右エアーフィルター清掃装置１００Ｒとは、駆動モーター１６を共有し、該共有する部分を除く範囲は、対称の構造を有するから、以下、左エアーフィルター清掃装置１００Ｌについて説明する。また、左エアーフィルター清掃装置１００Ｌと右エアーフィルター清掃装置１００Ｒとで共通する内容または相当する内容については名称の「左、右」および符号の添え字「Ｌ、Ｒ」の記載を省略する場合がある。
なお、左エアーフィルター清掃装置１００Ｌおよび右エアーフィルター清掃装置１００Ｒにそれぞれ別個の駆動モーターを設置して、両者が別個に独立して駆動されるようにしてもよい。  
【００１８】
（エアーフィルター）
図４〜図７において、エアーフィルター５０（左エアーフィルター５０Ｌまたは右エアーフィルター５０Ｒに同じ）は矩形状のエアーフィルター通気体（網状体）５１と、エアーフィルター通気体５１が設置された（貼り付けられた）エアーフィルター枠体５２とから構成されている。このとき、エアーフィルター枠体５２は互いに平行なエアーフィルター横桟５４と、エアーフィルター横桟５４を連結する互いに平行なエアーフィルター縦桟５３と、を有している。
そして、外郭を形成する（外側の）一対のエアーフィルター縦桟５３の裏面（エアーフィルター通気体５１が設置されていない面）には、その長手方向（縦方向）に等間隔に凹凸のパターンであるエアーフィルター従動ラック５３ｆが形成されている（正確な歯形形状に限定するものではない）。また、エアーフィルター縦桟５３は一方側に延長されエアーフィルター巻取片５５が形成されている。エアーフィルター５０は、成形時は平板状で形成されるが、空気調和機の室内機１に搭載されると柔軟性があるので、湾曲した形状で保持される。
【００１９】
（左筐体側枠体）
図５〜図７において、左エアーフィルター清掃装置１００Ｌの左筐体側枠体１０Ｌでは、筐体側縦板１１ａと筐体側縦板１１ｂとの互いに対向した面には、左引出側枠体２０Ｌの左引出側カバー２８ａ、２８ｂを引き出し自在（着脱自在）に収納する筐体側収納部１３ａ、１３ｂと、エアーフィルター５０を移動自在に案内するエアーフィルターガイド１５ａ、１５ｂとが形成されている。なお、エアーフィルターガイド１５ａ、１５ｂとが形成された範囲は、上下方向の高さが小さい（狭い）ため、筐体側腕１４ａ、１４ｂと称す。
そして、筐体側収納部１３ｂには、駆動モーター１６の回転軸１７に接続された継手手段１８が、筐体側収納部１３ａに向かって進退自在に突出している。また、筐体側収納部１３ｂには、駆動モーター１６の回転軸１７に図示しない回転／揺動機構を経由して接続された揺動軸１９が、筐体側収納部１３ａに向かって僅かに突出している。
なお、以下、共通する内容または相当する内容については、添え字「ａ、ｂ」の記載を省略する場合がある。  
【００２０】
（右筐体側枠体）
右エアーフィルター清掃装置１００Ｒの右筐体側枠体１０Ｒは、駆動モーター１６を対称面にして左筐体側枠体１０Ｌと対称形状であって、それぞれの部位は、符号の番号が同じであって、符号の添え字「ａ、ｂ」を添え字「ｃ、ｄ」に読み替えたものに同じである。例えば、筐体側縦板１１ｃは筐体側縦板１１ｂに、筐体側縦板１１ｄ（図示しない）は筐体側縦板１１ａに、筐体側収納部１３ｃは筐体側収納部１３ｂに、筐体側収納部１３ｄ（図示しない）は筐体側収納部１３ａにそれぞれ対応している。
【００２１】
（引出側枠体）
引出側枠体２０は、互いに対向した引出側縦板２１ａおよび引出側縦板２１ｂ（図示しない）と、これらを連結する複数の引出側横桟２２と、を有する枠体であって、引出側縦板２１ａ、２１ｂに両端をそれぞれ回転自在に支持されたエアーフィルター駆動軸（移動軸に同じ）２３およびエアーフィルター巻取軸２４が設置されている。
【００２２】
（エアーフィルター駆動軸）
エアーフィルター駆動軸２３には駆動軸歯車２３ｇが固定され、エアーフィルター巻取軸２４には巻取軸歯車２４ｇが固定され、駆動軸歯車２３ｇと巻取軸歯車２４ｇとの両方に噛み合って回転する中間歯車（回転伝達手段に相当する）２５ｇが一方の引出側縦板２１ａに回転自在に設置されている。
さらに、エアーフィルター駆動軸２３の一方の端部は、左筐体側枠体１０Ｌの継手手段１８が進出した際、連結される凹凸（図示しない）が形成されているから、エアーフィルター駆動軸２３には駆動モーター１６の回転が伝達される。そして、エアーフィルター駆動軸２３の回転が中間歯車２５ｇを介してエアーフィルター巻取軸２４に伝達され、両者は同じ方向に、所定の比率（減速比または増速比）で回転する。
また、エアーフィルター駆動軸２３の両端部には、エアーフィルター５０に形成されたエアーフィルター従動ラック５３ｆに噛み合うエアーフィルター駆動ピニオン２３ｆが設置されている。
【００２３】
（エアーフィルター巻取軸）
一方、エアーフィルター巻取軸２４には、エアーフィルター５０のエアーフィルター縦桟５３（エアーフィルター巻取片５５に同じ）の間隔に同じ間隔を空けてエアーフィルター巻取円盤２４ｆが設置されている。エアーフィルター巻取円盤２４ｆの厚さ（左右方向の幅に同じ）は、エアーフィルター５０のエアーフィルター巻取片５５の幅（エアーフィルター縦桟５３の幅に同じ）に略同じになっている。すなわち、エアーフィルター巻取軸２４は風路５内に配置されるためエアーフィルター５０のエアーフィルター巻取片５５およびエアーフィルター縦桟５３が巻き付けられる部分のみ必要な幅および外径（大径）に形成し、それ以外の軸部分は強度上必要な外径（小径）で形成する。
【００２４】
したがって、エアーフィルター従動ラック５３ｆにエアーフィルター駆動ピニオン２３ｆが噛み合った状態で、エアーフィルター駆動軸２３を回転（正転）すると、エアーフィルター５０はエアーフィルター巻取軸２４側に送り出され、送り出されたエアーフィルター５０はエアーフィルター巻取軸２４に巻き取られる（正確には、エアーフィルター巻取片５５およびエアーフィルター縦桟５３がエアーフィルター巻取円盤２４ｆに巻き取られる）。反対に、エアーフィルター駆動軸２３を反対方向に回転（逆転）すると、エアーフィルター５０はエアーフィルター巻取軸２４から巻き戻される。
【００２５】
（手回し用ツマミ）
さらに、エアーフィルター駆動軸２３の他方の端部（継手手段１８が連結される凹凸が形成されていない端部）に、手回しを容易にする手回し用ツマミ２７が設置されている。
手回し用ツマミ２７は、引出側枠体２０を筐体２（筐体側枠体１０に同じ）から引き出した際、マニュアルでエアーフィルター駆動軸２３およびエアーフィルター巻取軸２４を回転するためのものであるから、エアーフィルター駆動軸２３に替えて、エアーフィルター巻取軸２４に設置してもよい。なお、手回し用ツマミ２７の形状や大きさは限定するものではない。
【００２６】
（引出側カバー）
左引出側枠体２０Ｌの引出側縦板２１ａおよび引出側縦板２１ｂには、それぞれ引出側カバー２８ａおよび引出側カバー２８ｂ（図示しない）が設置され、引出側カバー２８ａ、２８ｂは、それぞれ左筐体側枠体１０Ｌの筐体側収納部１３ａ、１３ｂに押し込まれて収納され、図示しない抜け出し防止手段によって固定され、さらに、該固定手段を開放することによって、筐体側収納部１３ａ、１３ｂから引き出される（分離される）ものである。
すなわち、前記押し込み中は、引出側カバー２８ｂの側面が、左筐体側枠体１０Ｌの継手手段１８に当接して摺動し、継手手段１８を駆動モーター１６側に押し込め（後退させ）、前記押し込み終了時に、引出側カバー２８ｂの側面が継手手段１８から外れ、継手手段１８は進出してエアーフィルター駆動軸２３の端部に繋がる。
反対に、前記引き出し開始時は、エアーフィルター駆動軸２３の端部が継手手段１８を駆動モーター１６側に押し込んで繋がりを切り、前記引き出し中も、引出側カバー２８ｂの側面が継手手段１８を駆動モーター１６側に押し込んでいる。したがって、引出側枠体２０の押し込みや引き出しが容易になっている。
【００２７】
（除塵部）
図８において、塵埃回収部は除塵部３０と、除塵部３０に着脱自在に一体化された集塵室４０とを有している。
除塵部３０は、互いに対向した除塵部縦板３１ａ、３１ｂと、これらを連結する除塵部上板３２、除塵部前板３８および除塵部後板３９と、から形成される一方の面が開口した箱状であって、除塵部縦板３１ａおよび除塵部縦板３１ｂに両端を揺動自在（所定の回転角の間で正転と逆転を繰り返す）に支持された除塵軸３３と、除塵軸３３に取り付けられた除塵ブラシ３４とを有している。
除塵部上板３２は側面視で略円弧状（円筒面の一部に略相当する）を呈し、側面視で略中央に除塵ブラシ３４の先端が貫通する、ブラシ貫通孔３５が形成され、ブラシ貫通孔３５の長手方向の側縁、または該側縁に沿って除塵部上板３２の下面に、略波状の掻き落とし突起３６が設置されている。
そして、除塵部３０の除塵部縦板３１ａ、３１ｂは、それぞれ筐体側枠体１０の筐体側収納部１３ａ、１３ｂに押し込まれて収納され、図示しない抜け出し防止手段によって抜け出し不能に固定される。
【００２８】
（除塵ブラシ）
図８および図９において、除塵部３０が筐体側枠体１０に収納された際、除塵部３０の除塵軸３３は、筐体側枠体１０に設置された揺動軸１９に接続されるから、揺動軸１９が揺動した際、除塵軸３３は揺動する。すなわち、揺動軸１９が例えば、９０°の範囲を揺動（往復回転）すると、除塵ブラシ３４も揺動する。このとき、除塵ブラシ３４はブラシ貫通孔３５の位置においては、除塵ブラシ３４の先端がブラシ貫通孔３５を貫通して除塵部上板３２の上面に突出し、ブラシ貫通孔３５の位置から外れる際は、除塵ブラシ３４の先端が掻き落とし突起３６に摺動する。
【００２９】
したがって、後記するように、エアーフィルター５０を除塵ブラシ３４に当接した状態で、除塵ブラシ３４を揺動すれば、エアーフィルター５０に付着していた塵埃は掻き落とされ、さらに、除去された塵埃が除塵ブラシ３４に付着した場合でも、該塵埃は掻き落とし突起３６との摺動によって除塵ブラシ３４から除去される。このとき、エアーフィルター５０を移動させれば、エアーフィルター５０の広い範囲を除塵することができる。
なお、本発明において、除塵ブラシ３４と、その揺動機構と、掻き落とし突起３６と、からなる構成を除塵部と称するが、除塵部の構成はこれらに限定するものではなく、一部が欠けても、あるいは別個の手段が追加されてもよい。また、掻き落とし突起３６はブラシ貫通孔３５に沿って、一方側にのみ１条または２条以上設けてもよく、また、両側に２条以上設けてもよい。さらに、２条以上設ける場合は、それぞれの形状が相違してもよい。
【００３０】
（集塵室）
集塵室４０は、上面が開口した箱型で、左右の集塵室縦板４１ａ、４１ｂと、集塵室縦板４１ａ、４１ｂを連結して底を形成する側面視で略Ｕ字状の集塵室横板４２と、を有し、集塵室縦板４１ａ、４１ｂには外側に突出して集塵室係止突起４３ａおよび集塵室係止突起４３ｂ（図示しない）が設けられている。
一方、除塵部３０の除塵部縦板３１ａ、３１ｂには集塵室係止突起４３ａ、４３ｂが係止する除塵部係止孔３７ａ、３７ｂが設けられ、両者が係止することによって、両者が一体化する。したがって、集塵室４０は、除塵部３０に着脱自在に一体化された状態で、筐体側枠体１０に収納されることになる。
【００３１】
そして、集塵室４０の集塵室縦板４１ａ、４１ｂは、それぞれ除塵部３０の除塵室縦板３１ａ、３１ｂに当接し、集塵室４０の集塵室横板４２の両側縁（横方向の側縁）は、それぞれ除塵部３０の除塵室前板３８および除塵室後板３９に当接し、除塵部上板３２によって蓋をされた箱状態を呈する。このとき、除塵部上板３２にはブラシ貫通孔３５が形成されているものの、ブラシ貫通孔３５の位置に除塵ブラシ３４を停止しておけば、ブラシ貫通孔３５は略塞がれ、集塵室４０は略密閉された状態になる。したがって、前記のように、除塵ブラシ３４の揺動によって除去された塵埃は、周囲に飛散することなく、落下して集塵室４０に貯蔵され、一方、除塵ブラシ３４が揺動しない間に、貯蔵されている塵埃が集塵室４０から散逸することがない。
【００３２】
（エアーフィルターの移動経路）
図１において、筐体側枠体１０は、筐体２の側面視で前面側の上面寄りで、筐体側腕１４（エアーフィルターガイド１５が形成されている）が上面の吸込口７に沿うように配置されている。
このとき、筐体側収納部１３の引出側枠体２０の引出方向は、前面（または前面下方）方向になっている。
引出側枠体２０が筐体側枠体１０に収納された状態で、前面寄りの位置に引出側枠体２０のエアーフィルター駆動軸２３が位置し、その後方（熱交換器４ｂ寄り）にエアーフィルター巻取軸２４が位置している。そして、除塵部３０の除塵部上板３２の前面側の範囲が、エアーフィルター駆動軸２３に設置されたエアーフィルター駆動ピニオン２３ｆを包み込むように配置され、除塵部上板３２に形成された除塵ブラシ３４が、エアーフィルター駆動軸２３の略直下で僅かにエアーフィルター巻取軸２４寄りに位置している。
【００３３】
したがって、エアーフィルター５０の殆どの範囲は、吸込口７に沿って巻き戻され（拡げられ）、側面視において曲率半径の大きな略円弧を呈している。また、エアーフィルター５０の一方の端部（仮に先端と称す）は、除塵部上板３２とエアーフィルター駆動ピニオン２３ｆとに挟まれた状態で、側面視において曲率半径の小さな略円弧を呈している。そして、エアーフィルター巻取片５５の先端はエアーフィルター巻取軸２４のエアーフィルター巻取円盤２４ｆに接続され、エアーフィルター巻取片５５はエアーフィルター巻取軸２４に近づく程、僅かに上方になっている。
【００３４】
そこで、エアーフィルター駆動ピニオン２３ｆを回転（正転）すると、エアーフィルター５０はエアーフィルター巻取軸２４側に送り出され、エアーフィルター巻取片５５はエアーフィルター巻取円盤２４ｆに巻き取られる。このとき、斜め下方に移動したエアーフィルター５０の先端は、除塵部上板３２に案内されながら、除塵部上板３２に形成されたブラシ貫通孔３５の位置あたりで水平方向に移動方向を変え、その後、僅かに斜め上方向に移動する。
よって、エアーフィルター５０のエアーフィルター通過面５１は、エアーフィルター駆動ピニオン２３ｆを過ぎると、上下の面が反転され、室内機１の運転中に形成される風路５の風上側の面に除塵ブラシ３４が当接し、除塵が実行される。すなわち、エアーフィルター通過面５１には、風路５の風上側の面に比較的多くの塵埃が付着するため、かかる塵埃が効果的に除去される。
さらに、エアーフィルター駆動ピニオン２３ｆが回転（正転）を続けると、やがて、エアーフィルター５０の後端がエアーフィルター駆動ピニオン２３ｆの近くに到達する。この間、エアーフィルター５０のエアーフィルター縦桟５３（エアーフィルター通気体５１およびエアーフィルター枠体５２に同じ）がエアーフィルター巻取円盤２４ｆに巻き取られる。
【００３５】
なお、エアーフィルター縦桟５３がエアーフィルター巻取円盤２４ｆに巻き取られるにつれて、エアーフィルター巻取円盤２４ｆに巻き取られているエアーフィルター５０（特に、エアーフィルター縦桟５３の部分）の外径は除々に大きくなる（太ってくる）ため、巻き取りスピードが速くなる（単位回転角当たりの巻き取り量が長くなる）。
そのため、巻き取り途中に、エアーフィルター駆動ピニオン２３ｆとエアーフィルター巻取円盤２４ｆとの間でエアーフィルター縦桟５３に引っ張り力が発生しないように、巻き取り初期に、エアーフィルター駆動ピニオン２３ｆとエアーフィルター巻取円盤２４ｆとの間でエアーフィルター巻取片５５に「弛み」を設けている。
また、巻き取り終了時に、エアーフィルター駆動ピニオン２３ｆの送り出しスピード（単位回転角当たりのエアーフィルター５０の移動量）が、巻き取りスピードに略等しくなるように、駆動軸歯車２３ｇ、巻取軸歯車２４ｇおよび中間歯車２５ｇのそれぞれの歯数や、エアーフィルター巻取円盤２４ｆの外径を選定している。
【００３６】
（エアーフィルター清掃装置の動作）
次に、エアーフィルター清掃装置１００の動作について説明する。
空気調和機の室内機１の電源スイッチ（図示しない）が入力される（ＯＮ）と、室内機１は所定の運転モードの運転を開始し、その後、電源スイッチが切られる（ＯＦＦ）と、停止指令が出されて、空気調和機（室内機１に同じ）は運転（送風ファン３の回転停止や、熱交換器４への冷媒の供給等）を停止する。
そして、運転停止の際、当該運転時の運転時間を、過去の運転時間の総和に加算して「積算運転時間」を求め、該積算運転時間が予め設定した「空気調和機の設定積算運転時間」を超えていたら、空気調和機の運転を停止した状態で、エアーフィルター清掃装置１００が稼働される。
【００３７】
前記構成のエアーフィルター清掃装置１００において、まず、エアーフィルター５０の移動動作について説明する。エアーフィルター５０は、エアーフィルター駆動ピニオン２３ｆと除塵部３０の除塵部上板３２の前面側の範囲とに挟まれ、エアーフィルター従動ラック５３ｆがエアーフィルター駆動ピニオン２３ｆと噛み合った状態になっている。
そこで、駆動モーター１６が起動（通電）されると、図示しない伝達機構を経由して回転軸１７および揺動軸１９が動作する。
これにより、回転軸１７に継手手段１８を介して接続されているエアーフィルター駆動軸２３（エアーフィルター駆動ピニオン２３ｆに同じ）が回転し、エアーフィルター５０のエアーフィルター巻取片５５は送り出され、エアーフィルター５０はエアーフィルターガイド１５に案内されて移動する。
【００３８】
また、同時に、エアーフィルター駆動軸２３の回転は中間歯車２５ｇを介してエアーフィルター巻取軸２４に伝達されるから、エアーフィルター巻取軸２４（エアーフィルター巻取円盤２４ｆに同じ）の回転によって、エアーフィルター５０が巻き取られる。このとき、前記のように、エアーフィルター巻取円盤２４ｆの外径は巻き取ったエアーフィルター５０の厚さ分だけ大きくなっていき巻取スピードが速くなっていくため、予めエアーフィルター巻取片５５に「たわみ」を作り、エアーフィルター駆動ピニオン２３ｆの回転によるエアーフィルター５０の移動スピードとエアーフィルター巻取軸２４の回転によるエアーフィルター５０の移動スピードとの除々に拡大する差をカバーする。
【００３９】
（塵埃回収部の動作）
次に、塵埃回収部の動作について説明する。
エアーフィルター５０が移動すると同時に、揺動軸１９に接続されている除塵軸３３（除塵ブラシ３４に同じ）は揺動する。すなわち、除塵軸３３に固定された除塵ブラシ３４の先端が上方を向いた状態を中心にして、前後（図中、左右）に、例えば、９０度ずつ揺動する。除塵ブラシ３４はその先端がブラシ貫通孔３５から少し飛び出した状態で構成されているためエアーフィルター通気体５１とラップした状態で往復揺動し、付着した塵埃を掻き落としていく。
また、エアーフィルター通気体５１から除去された塵埃のうち除塵ブラシ３４に付着したものは、ブラシ貫通孔３５に沿って設置されている掻き落とし突起３６に除塵ブラシ３４が摺動した際、掻き落とされて集塵室４０に落下し、回収、貯留される。
【００４０】
さらに、エアーフィルター５０の後端がエアーフィルター駆動ピニオン２３ｆの位置に到達した時点で（図２参照）、エアーフィルター駆動ピニオン２３ｆの回転を停止し、反対方向に回転（逆転）する。そうすると、エアーフィルター巻取軸２４も逆転してエアーフィルター５０は巻き戻され、エアーフィルターガイド１５に沿って移動し再び元の位置（図１）にまで戻ってくる。
このとき、除塵ブラシ３４も往復揺動しているため、前記巻き上げ時と同様に、エアーフィルター５０は除塵される。すなわち、エアーフィルター５０は移動中は、常に除塵（清掃）されている。
【００４１】
なお、エアーフィルター駆動ピニオン２３ｆの回転の起動または停止の制御方法は限定するものではない。例えば、フィルターガイド１５の最も後面寄りの位置に、センサーを設置して、エアーフィルター５０の後端が該センサーに当接して、風路５の全面を覆った状態を初期値として、駆動モーター１６を所定の回数だけ回転（正転または逆転）してもよい。
また、フィルターガイド１５の最も後面寄りの位置および最も前面寄りの位置に、それぞれセンサーを設置して、エアーフィルター５０の後端が該それぞれのセンサーに当接するまで、駆動モーター１６を回転（正転または逆転）してもよい。
【００４２】
なお、エアーフィルター巻取軸２４を強制的に回転しないで、エアーフィルター駆動ピニオン２３ｆのみの回転によって、エアーフィルター５０を移動しようとすると、エアーフィルター５０の移動（送り出し）は問題ないが、エアーフィルター５０をエアーフィルター巻取軸２４（エアーフィルター巻取円盤２４ｆに同じ）に巻き取ることができない。また、エアーフィルター駆動ピニオン２３ｆを強制的に回転しないで、エアーフィルター巻取軸２４を回転したのでは、巻き取りは問題ないが、巻き戻しの際に、エアーフィルター５０はエアーフィルター巻取軸２４とエアーフィルター駆動軸２３との間に貯まってしまい、エアーフィルターガイド１５に沿って移動させることができない。そのためエアーフィルター駆動ピニオン２３ｆ（エアーフィルター駆動軸２３に同じ）とエアーフィルター巻取円盤２４ｆ（エアーフィルター巻取軸２４に同じ）とを連動して強制的に回転させることが必要になる。
【００４３】
（塵埃回収部のメンテナンス）
次に、塵埃回収部のメンテナンスについて説明する。
前記のように、除塵部縦板３１ａ、３１ｂが筐体側収納部１３ａ、１３ｂに押し込まれて抜け出し不能に固定された状態で、除塵部３０は筐体側枠体１０に収納されているから、抜け出し防止手段（例えば、一方に形成された凹部に他方に形成された突起が侵入する機構等）を開放することによって、除塵部３０を筐体側枠体１０（筐体２に同じ）から取り外すことができる。
このとき、集塵室４０と除塵部３０とは一体的に接合しているから、係止している集塵室４０の集塵室係止突起４３ａ、４３ｂと除塵部３０の除塵部係止孔３７ａ、３７ｂとの係止を開放すれば、集塵室４０を除塵部３０から分離することができ、集塵室４０に貯留された塵埃を取り除くことができる。
また、集塵室４０と除塵部３０とは分離しているから、それぞれ別個に洗浄することができる。
【００４４】
（引出側枠体のメンテナンス）
引出側枠体２０は、抜け出し防止手段による固定を開放することによって筐体側枠体１０（筐体２に同じ）から引き出すことができる。このとき、エアーフィルター５０は、引出側横桟２２のうちの何れかとエアーフィルター駆動ピニオン２３ｆとに挟まれ、エアーフィルター従動ラック５３ｆとエアーフィルター駆動ピニオン２３ｆとが噛み合った状態で引出側枠体２０に取り付いたままであるが、除塵部３０が分離していることから、除塵部上板３２に案内（押し付ける）されないで、剥き出しになる。
したがって、筐体側枠体１０（筐体２に同じ）から引き出された状態で、除塵しきれなかった付着物等をエアーフィルター５０から除去することが可能になる。
【００４５】
なお、エアーフィルター駆動軸２３には手回し用ツマミ２７が設置されているから、マニュアルによってエアーフィルター５０を移動および巻き取り又は巻き戻しをすることができる。
例えば、手回し用ツマミ２７をマニュアルで回すことによって、エアーフィルター５０をエアーフィルター巻取軸２４に巻き取って、エアーフィルター５０が噛み合っているエアーフィルター駆動ピニオン２３ｆよりも後端側（上側）の範囲を短くしておけば、引出側枠体２０を筐体側枠体１０内に押し込む（収納する）際、エアーフィルター５０の後端を筐体側枠体１０に形成されたエアーフィルターガイド１５に挿入する作業が不要になる。尤も、エアーフィルター巻取軸２４から巻き戻されたエアーフィルター５０であっても、その後端をエアーフィルターガイド１５に挿入すれば、引出側枠体２０を筐体側枠体１０に容易に押し込むことができる。
また、エアーフィルター巻取片５５の先端をエアーフィルター巻取軸２４に着脱自在にして、エアーフィルター従動ラック５３ｆとエアーフィルター駆動ピニオン２３ｆとの噛み合いが外れるまで、エアーフィルター５０を移動させれば、エアーフィルター５０を引出側枠体２０から分離することが可能になる。そうすると、それぞれを別個に洗浄することが可能になる。
【００４６】
以上は、電源スイッチをＯＦＦした直後にエアーフィルター５０の清掃をする例について説明しているが、本発明はこれに限定されるものではない。例えば、エアーフィルター５０の清掃を指令する専用のスイッチを設け、このスイッチが押されたら、空気調和機の運転を一旦停止して、エアーフィルター清掃装置１００によるエアーフィルター５０の清掃を行うように構成してもよい。
また、上記の例では、天面側に吸込口７を形成した例について説明したが、これに限らず、前面側に吸込口が形成されてもよい。
さらに、本発明は、対称に構成された左エアーフィルター清掃装置１００Ｌおよび右エアーフィルター清掃装置１００Ｒとを有するものに限定するものではない。例えば、両者が非対称であって、それぞれが別個の駆動モーター１６等を有してもよく、その一方のみを有するものであってもよく、さらに、その一方または両方を複数有するものであってもよい。
【００４７】
以上のように、エアーフィルター清掃装置１００は、エアーフィルター５０の巻き取りに必要なスペースを小さくすることができるから、風路（空気流路に同じ）５の断面積を大きく確保することができると共に、配置の自由度が増し、室内機１を小型化や、意匠性の向上を図ることができる。
また、エアーフィルター巻取軸２４を必要部分を除いて細くしているから、エアーフィルター巻取軸２４が風路５内に位置する場合であっても、空気の流入抵抗の増大が抑えられ、空気流入量を増加させることができるから、空気調和機の性能を向上させることができる。
【００４８】
また、エアーフィルター５０を移動させる機構を引出側枠体２０にまとめ、しかも、これを駆動する駆動モーター１６を筐体２に残したまま、筐体２から容易に引き出し又は押し込み（脱着）自在にしたので、引き出し又は押し込み（脱着）作業が容易であると共に、使用者の取付不備による動作不良を防止することができる。
さらに、エアーフィルター５０は引出側枠体２０に取り付けられた状態で、筐体２から引き出されるから、除塵ブラシ３４では取り除くことができない汚れが残っていても、これを洗剤や水洗いによって取り去ることができるようになった。
また、エアーフィルター巻取軸２４の位置をエアーフィルター駆動ピニオン２３ｇおよび除塵部３０に対して自由に設定できるため、熱交換器４の配置や前面パネル６のデザインに制約されることなく、エアーフィルター清掃装置１００を効率よく配置することができる。
【００４９】
［実施の形態２］
（エアーフィルター清掃装置）
本発明の実施の形態２に係るエアーフィルター清掃装置は、実施の形態１において説明した空気調和機の室内機１に設置されたエアーフィルター清掃装置１００に同じであるから、説明を省略する。
【００５０】
［実施の形態３］
（エアーフィルター清掃装置）
本発明の実施の形態３に係るエアーフィルター清掃装置は、実施の形態１として説明した空気調和機の室内機１に設置されたエアーフィルター清掃装置１００において、エアーフィルター駆動軸２３に固定された駆動軸歯車２３ｇと、エアーフィルター巻取軸２４に固定された巻取軸歯車２４ｇと、中間歯車２５ｇとを撤去し、その替わりにエアーフィルター５０のエアーフィルター巻取軸２４に、巻き取り方向に付勢する巻取軸付勢手段（例えば、コイルスプリング等）を設けたものである。
【００５１】
すなわち、エアーフィルター５０（特に、エアーフィルター巻取片５５）は、常に、エアーフィルター巻取軸２４の方向に引っ張られ、エアーフィルター駆動ピニオン２３ｆによってエアーフィルター巻取軸２４側に送り出された分が、エアーフィルター巻取円盤２４ｆに巻き取られ、反対に、エアーフィルターガイド１５側に戻された分が、エアーフィルター巻取円盤２４ｆから巻き戻される。したがって、実施の形態１において説明したエアーフィルター清掃装置１００と同様の作用効果を奏する。
【００５２】
［実施の形態４］
（空気調和機の室内機）
図１０〜図１５は本発明の実施の形態４に係る空気調和機の室内機を説明するものであって、図１０は調和機の側面視の断面を示す断面図（エアーフィルターを巻き戻した状態）、図１１は側面視の断面を示す断面図（エアーフィルターを巻き上げた状態）、図１２は設置されたエアーフィルター清掃装置を一部の部材を省略して示す斜視図、図１３〜図１５は設置されたエアーフィルター清掃装置を形成する部材をそれぞれ示す斜視図、図１６および図１７はエアーフィルター清掃装置を形成する部材を組み立てた状況を示す斜視図である。
すなわち、図１３〜図１５はそれぞれエアーフィルター収納ガイド、エアーフィルター搬送ガイド、エアーフィルター搬送カバーを示し、図１６はエアーフィルター収納ガイドとエアーフィルター搬送ガイドとを組み立てた状況、図１７はエアーフィルター収納ガイドとエアーフィルター搬送ガイドとエアーフィルター搬送カバーとを組み立てた状況を示す。なお、実施の形態１と同じ部分または相当する部分には同じ符号を付し、一部の説明を省略する。また、各図は模式的に描いたものであって、本発明は図示された形態に限定するものではない。
【００５３】
（筐体）
図１０〜図１７において、空気調和機の室内機１０００は、筐体（室内機本体に相当する）２と、筐体２内に設置され、空気を吸引すると共に吸引した空気を吹き出す送風ファン３と、送風ファン３が形成する風路内に配置され、吸引した空気を調和する熱交換器４と、吸引した空気に含まれる塵埃を捕捉する左エアーフィルター９０Ｌおよび右エアーフィルター９０Ｒ（何れも図示しない）と、左エアーフィルター９０Ｌおよび右エアーフィルター９０Ｒをそれぞれ清掃する左エアーフィルター清掃装置２００Ｌおよび右エアーフィルター清掃装置２００Ｒと、を有している。
なお、以下の説明において、左エアーフィルター清掃装置２００Ｌと右エアーフィルター清掃装置２００Ｒとで共通する内容または相当する内容については名称の「左、右」および符号の添え字「Ｌ、Ｒ」の記載を省略する場合がある（実施の形態１に準じる）。
【００５４】
（エアーフィルター清掃装置）
図１１〜図１５において、エアーフィルター清掃装置２００は、筐体２に設置されるエアーフィルター搬送ガイド７０と、エアーフィルター搬送ガイド７０に設置されるエアーフィルター収納ガイド６０およびエアーフィルター搬送カバー８０と、エアーフィルター搬送ガイド７０に設置された除塵部（塵埃回収部の一部に相当する）３０と、除塵部３０に着脱自在に一体化された集塵室（塵埃回収部の一部に相当する）４０と、を有している。
そして、図１０に示すようにエアーフィルター９０は、筐体２の吸込口７と熱交換器４との間において、吸込口７側に沿って吸込口７の全面を覆うように配置される（後記するように巻き戻される）。エアーフィルター清掃装置２００は筐体２の前面側上部において、熱交換器４と前面パネル６との間に設置されることになる。
なお、実施の形態４に説明する室内機１０００は、左エアーフィルター清掃装置２００Ｌおよび右エアーフィルター清掃装置２００Ｒを有しているが、本発明はこれに限定するものではなく、その一方のみを有するもの（エアーフィルターが１枚）や、３台以上有するもの（エアーフィルターが３枚以上）であってもよい。
【００５５】
（エアーフィルター搬送ガイド）
エアーフィルター搬送ガイド７０は実施の形態１における筐体側枠体に相当するものであって、風路５を形成するための枠体構造である（図１２、図１３等参照）。
エアーフィルター搬送ガイド７０は、互いに対向した一対の搬送ガイド側板７１と、搬送ガイド側板７１から同一面で延長された搬送ガイド縦桟７２と、搬送ガイド側板７１同士および搬送ガイド縦桟７２同士を連結する搬送ガイド横桟７３と、搬送ガイド横桟７３の一部同士を連結する搬送ガイド補強桟７４と、を有している。
【００５６】
そして、対向する一対の搬送ガイド側板７１に両端を回転自在に支持されたエアーフィルター駆動軸２３が設置され、搬送ガイド側板７１のエアーフィルター駆動軸（移動軸に同じ）２３が設置されない側に、これを回転駆動する駆動モーター１６（図示しない）が設置されている。そして、エアーフィルター９０に形成されたエアーフィルター従動ラック５３ｆに噛み合うエアーフィルター駆動ピニオン２３ｆが、エアーフィルター駆動軸２３に設置されている。
また、搬送ガイド縦桟７２の互いに対向した面に、エアーフィルター９０の側縁が侵入自在な搬送ガイド溝７６を形成するための搬送ガイド縦フランジ７５が設置されている。
【００５７】
（エアーフィルター搬送カバー）
エアーフィルター搬送カバー８０は、風路５に配置される枠体であって、一対の搬送カバー縦桁８２と、搬送カバー縦桁８２を連結する搬送カバー横桁８３と、搬送カバー横桁８３同士を連結する搬送カバー補強桁８４と、を有している。また、一対の搬送カバー縦桁８２の互いに対向した面に、エアーフィルター９０の側縁が侵入自在な搬送ガイド溝７６を形成するための搬送カバー縦フランジ８５が設置されている。
そして、エアーフィルター搬送カバー８０の搬送カバー縦桁８２とエアーフィルター搬送ガイド７０の搬送ガイド縦桟７２とが接合される（正確には、左側の搬送カバー縦桁８２が、左エアーフィルター搬送ガイド７０Ｌの左側の搬送ガイド縦桟７２に接合され、右側の搬送カバー縦桁８２が、右エアーフィルター搬送ガイド７０Ｒの右側の搬送ガイド縦桟７２に接合される（図１２、図１５等参照）。
【００５８】
このとき、前者の搬送カバー縦フランジ８５と後者の搬送ガイド縦フランジ７５とは互いに所定の間隔を空けて対向し、該間隔によって、エアーフィルター９０の側縁が侵入自在な搬送ガイド溝７６が形成される。
また、搬送カバー補強桁８４と搬送ガイド補強桟７４との間も、エアーフィルター９０が侵入自在の間隔が形成されるから、搬送カバー補強桁８４と搬送ガイド補強桟７４とによって、搬送ガイド溝７６に相当する案内手段が形成されている。
なお、以上は、エアーフィルター搬送ガイド７０とエアーフィルター搬送カバー８０とを、別個に製作して、両者を組み合わせて（一体化して）いるが、本発明はこれに限定するものではなく、搬送ガイド縦桟７２に搬送カバー縦フランジ８５と後者の搬送ガイド縦フランジ７５とを設置し、搬送ガイド横桟７３、搬送ガイド補強桟７４、搬送カバー横桁８３あるいは搬送カバー補強桁８４に相当する部材を必要に応じて選択的に撤去してもよい。
【００５９】
（エアーフィルター収納ガイド）
エアーフィルター収納ガイド６０は実施の形態１における引出側枠体２０に相当するものであるが、実施の形態１では、エアーフィルター５０を引出側枠体２０に一体化した状態で筐体２から引き出す構造であったのに対し、エアーフィルター収納ガイド６０はエアーフィルター９０を単体で筐体２から引き出し可能にしている（図１２、図１４等参照）。
エアーフィルター収納ガイド６０は、互いに対向した一対の収納ガイド側板６１と、収納ガイド側板６１の一部に形成されエアーフィルター駆動軸２３が侵入する収納ガイド切欠部６２と、収納ガイド側板６１同士を連結する収納ガイド横桟６３と、収納ガイド横桟６３の一部同士を連結する収納ガイド補強桟６４と、を有している。
そして、収納ガイド側板６１の互いに対向した面に、エアーフィルター９０の側縁が侵入自在な収納ガイド溝６５が形成されている。収納ガイド溝６５は略螺旋状であって、一端が収納ガイド切欠部６２に近接した直線状部分と、該直線状部分に連続した略１．５巻き（１巻き半）の略円弧状部分とからなっている。
【００６０】
（エアーフィルター）
エアーフィルター９０は、エアーフィルター巻取片５５を撤去したエアーフィルター５０（実施の形態１参照）に同じである（図６参照）。
すなわち、エアーフィルター９０は、矩形状のエアーフィルター通気体（網状体）５１と、エアーフィルター枠体５２とから構成され、外郭を形成する（外側の）一対のエアーフィルター縦桟５３の裏面（エアーフィルター通気体５１が設置されていない面）には、その長手方向（縦方向）に等間隔に凹凸のパターンであるエアーフィルター従動ラック５３ｆが形成されている（正確な歯形形状に限定するものではない）。
【００６１】
（エアーフィルターの移動経路）
図１０〜図１２において、エアーフィルター搬送ガイド７０は、筐体２の側面視で前面側の上面寄りで、上面の吸込口７に沿うように配置されている。
そして、エアーフィルター搬送ガイド７０の搬送ガイド側板７１にエアーフィルター収納ガイド６０が設置され、収納ガイド切欠部６２が前面寄りの位置に、収納ガイド溝６５がその後方（熱交換器４ｂ寄り）に位置している（図１６参照）。
さらに、エアーフィルター搬送ガイド７０の搬送ガイド縦桟７２にエアーフィルター搬送カバー８０が設置されている（図１７参照）。
したがって、エアーフィルター９０の側縁は、エアーフィルター搬送ガイド７０の搬送ガイド縦フランジ７５とエアーフィルター搬送カバー８０の搬送カバー縦フランジ８５との隙間である搬送ガイド溝７６に侵入した状態で、エアーフィルター９０の殆どの範囲が巻き戻される（拡げられる）。このとき、エアーフィルター９０の一方の端部（仮に先端と称す）は、除塵部上板３２とエアーフィルター駆動ピニオン２３ｆとに挟まれた状態で、側面視において曲率半径の小さな略円弧を呈している（図１０参照）。
【００６２】
そこで、エアーフィルター駆動ピニオン２３ｆを回転（正転）すると、エアーフィルター９０の両側縁は収納ガイド溝６５に向かって送り出され、当初、先端部はこれに案内されて略直線に移動するが、やがて、エアーフィルター９０の先端部が略円弧状部分に到達すると、先端部は螺旋状（円弧状）に移動する。したがって、エアーフィルター９０の他方の端部（後端）がエアーフィルター駆動ピニオン２３ｆに近づいたとき、エアーフィルター９０の殆どの範囲が、略１．５巻きの略螺旋状に巻かれている（図１１参照）。
この間、エアーフィルター９０のエアーフィルター通気体５１は、風路５の風上側の面に除塵ブラシ３４が当接し、除塵が実行される（実施の形態１に同じ）。
【００６３】
一方、エアーフィルター駆動ピニオン２３ｆを反対の方向に回転（逆転）すると、エアーフィルター９０は巻き戻され、両側縁は搬送ガイド溝７６に送り出される。やがて、エアーフィルター９０が風路５の全域を覆ったところで、エアーフィルター駆動ピニオン２３ｆの回転を停止する。このとき、エアーフィルター９０のエアーフィルター従動ラック５３ｆの一部は、エアーフィルター駆動ピニオン２３ｆに噛み合っている。
なお、エアーフィルター駆動ピニオン２３ｆを逆転する際にも、エアーフィルター９０を清掃してもよい。
【００６４】
なお、搬送ガイド溝７６と収納ガイド溝６５との間に間隙が形成されている。したがって、エアーフィルター９０が収納ガイド溝６５に巻かれている状態で、エアーフィルター９０の後端を該間隙から筐体２の外に向け、エアーフィルター駆動ピニオン２３ｆを反対の方向に逆転してエアーフィルター９０を巻き戻せば、エアーフィルター９０は該隙間を経由して筐体２の外に引き出される。
したがって、エアーフィルター９０を水洗いする必要が生じた場合や、新しいエアーフィルター９０に交換する必要が生じた場合等、エアーフィルター９０のみを単独で筐体２から取り外すことが可能になる。また、これと逆の工程によって、新しいエアーフィルター９０を筐体２内に配置することができる。
【００６５】
以上のように、エアーフィルター清掃装置２００は、実施の形態１のエアーフィルター清掃装置１００におけるエアーフィルター巻取軸２４を撤去して、その替わりに、エアーフィルター収納ガイド６０に収納ガイド溝６５を設けたものであるから、エアーフィルター清掃装置１００の引出側枠体２０を、より簡素な構成のエアーフィルター収納ガイド６０に変更することが可能になる（中間歯車２５ｇ等の回転伝達機構が不要になる）。
また、エアーフィルター収納ガイド６０は風路５に干渉しない位置に配置することができるから、清掃中に、エアーフィルター９０が風路５内に再度侵入することがない。
さらに、エアーフィルター９０には、エアーフィルター巻取片５５が不要になり、エアーフィルター９０のみ単体で、筐体２から取り出すことが可能になる。
よって、エアーフィルター清掃装置２００は、エアーフィルター清掃装置１００（実施の形態１）に比較して、部品点数の減少による部品コストの圧縮、および組立作業（工程）の簡素化による組立コストの圧縮により、結果として安価な製品が実現する。
【産業上の利用可能性】
【００６６】
本発明によれば、エアーフィルターをエアーフィルターの移動機構に組み込まれた状態で室内機本体から容易に取り外すことができ、且つ、容易に取り付けることができると共に、空路の風路抵抗の増加を抑えて、設置位置を選択する自由度を高くすることができるから、各種空気調和機の室内機に設置されるエアーフィルター清掃装置として広く利用することができる。
【符号の説明】
【００６７】
１：室内機、２：筐体、３：送風ファン、４：熱交換器、５：風路、６：前面パネル、６ｋ：化粧パネル、７：吸込口、８：吹出口、９：ノズル、１０：筐体側枠体、１０Ｌ：左筐体側枠体、１０Ｒ：右筐体側枠体、１１：筐体側縦板、１２：筐体側横桟、１３：筐体側収納部、１４：筐体側腕、１５：エアーフィルターガイド、１６：駆動モーター、１７：回転軸、１８：継手手段、１９：揺動軸、２０：引出側枠体、２０Ｌ：左引出側枠体、２０Ｒ：右引出側枠体、２１：引出側縦板、２２：引出側横桟、２３：エアーフィルター駆動軸、２３ｆ：エアーフィルター駆動ピニオン、２３ｇ：駆動軸歯車、２４：エアーフィルター巻取軸、２４ｆ：エアーフィルター巻取円盤、２４ｇ：巻取軸歯車、２５ｇ：中間歯車、２７：手回し用ツマミ、２８：引出側カバー、３０：除塵部、３１：除塵部縦板、３２：除塵部上板、３３：除塵軸、３４：除塵ブラシ、３５：ブラシ貫通孔、３６：掻き落とし突起、３７：除塵部係止孔、３８：除塵部前板、３９：除塵部後板、４０：集塵室、４１：集塵室縦板、４２：集塵室横板、４３：集塵室係止突起、５０：エアーフィルター、５０Ｌ：左エアーフィルター、５０Ｒ：右エアーフィルター、５１：エアーフィルター通気体、５２：エアーフィルター枠体、５３：エアーフィルター縦桟、５３ｆ：エアーフィルター従動ラック、５４：エアーフィルター横桟、５５：エアーフィルター巻取片、６０：エアーフィルター収納ガイド、６１：収納ガイド側板、６２：収納ガイド切欠部、６３：収納ガイド横桟、６４：収納ガイド補強桟、６５：収納ガイド溝、７０：エアーフィルター搬送ガイド、７１：搬送ガイド側板、７２：搬送ガイド縦桟、７３：搬送ガイド横桟、７４：搬送ガイド補強桟、７５：搬送ガイド縦板フランジ、７６：搬送ガイド溝、８０：エアーフィルター搬送カバー、８２：搬送カバー縦桁、８３：搬送カバー横桁、８４：搬送カバー補強桁、８５：搬送カバー縦フランジ、９０：エアーフィルター、１００：エアーフィルター清掃装置、１００Ｌ：左エアーフィルター清掃装置、１００Ｒ：右エアーフィルター清掃装置、１６０：前ストッパー、２００：エアーフィルター清掃装置（実施の形態４）、１０００：室内機（実施の形態４）。
【図１】
2011149683.tif 000003
【図２】
2011149683.tif 000004
【図３】
2011149683.tif 000005
【図４】
2011149683.tif 000006
【図５】
2011149683.tif 000007
【図６】
2011149683.tif 000008
【図７】
2011149683.tif 000009
【図８】
2011149683.tif 000010
【図９】
2011149683.tif 000011
【図１０】
2011149683.tif 000012
【図１１】
2011149683.tif 000013
【図１２】
2011149683.tif 000014
【図１３】
2011149683.tif 000015
【図１４】
2011149683.tif 000016
【図１５】
2011149683.tif 000017
【図１６】
2011149683.tif 000018
【図１７】
2011149683.tif 000019